(57)【特許請求の範囲】
【請求項１】
無線リソースオーバーヘッドを削減する、ワイヤレス通信用電力制御のための、ワイヤレス送受信ユニット（ＷＴＲＵ）において使用する方法であって、ＴＰＣ（送信電力制御）コマンドが共有専用チャネルを介して送信される、前記方法は、
Ｎｏ−ＴＸモードが有効にされている状態のとき、前記共有専用チャネル上のＴＰＣコマンドを保留するステップと、
データ送信を再開するために、送信機会期間中に少なくとも１つのメッセージを送信するステップと、
前記ｎｏ−ＴＸモードが有効にされている状態のときに、全ダウンリンク制御チャネルリソースを解放し、ＲＮＴＩ（ネットワーク一時識別子）を維持するステップと
を含むことを特徴とする方法。
【請求項２】
拡張専用チャネル（Ｅ−ＤＣＨ）を介してデータを送信するための、アイドルモードにあるワイヤレス送受信ユニット（ＷＴＲＵ）において使用する方法であって、
送信バーストのための送信電力レベルを算出するステップと、
添付メッセージを含み得る前記送信バーストを、前記算出した送信電力レベルで送信するステップと、
前記送信バーストを受信したことを確認するノードＢから捕捉インジケーション及びリソース割当を受信するステップであって、前記リソース割当は割り当てられたＥ−ＤＣＨリソースを含む、ステップと、
前記ＷＴＲＵが、前記割り当てられたＥ−ＤＣＨリソースを解放する、又は予め定義された期間内に前記捕捉インジケーションを受信しない場合、前記ノードＢからの前記捕捉インジケーションが受信されるまで送信電力を増やして後続送信バーストを送信するステップと
を含むことを特徴とする方法。
【請求項３】
前記ＷＴＲＵを識別する拡張無線ネットワーク一時識別子（Ｅ−ＲＮＴＩ）とともにＥ−ＤＣＨ絶対許可チャネル（Ｅ−ＡＧＣＨ）を前記ノードＢから受信するステップをさらに含むことを特徴とする請求項２に記載の方法。
【請求項４】
前記ＷＴＲＵが解放を指示する前記ノードＢからの通知を受信した場合に、前記割り当てられたＥ−ＤＣＨリソースを解放するステップをさらに含むことを特徴とする請求項２に記載の方法。
【請求項５】
前記ノードＢからの通知は、Ｅ−ＤＣＨ絶対許可チャネル（Ｅ−ＡＧＣＨ）で受信されることを特徴とする請求項４に記載の方法。
【請求項６】
前記ＷＴＲＵが送信すべきデータを有していない場合に、前記割り当てられたＥ−ＤＣＨリソースを解放するステップをさらに含むことを特徴とする請求項２に記載の方法。
【請求項７】
前記割り当てられたＥ−ＤＣＨリソースを受信してから予め定められた時間間隔が経過した場合に、前記割り当てられたＥ−ＤＣＨリソースを解放するステップをさらに含むことを特徴とする請求項２に記載の方法。
【請求項８】
無線リソースオーバーヘッドを削減する、ワイヤレス通信のための電力制御を行うように構成されたＷＴＲＵ（ワイヤレス送受信ユニット）であって、ＴＰＣ（送信電力制御）コマンドが共有専用チャネルを介して送信される、前記ＷＴＲＵは、
Ｎｏ−ＴＸモードが有効にされている状態のとき、前記共有専用チャネル上のＴＰＣコマンドを保留するように構成された送信機と、
データ送信を再開するために、送信機会期間中に少なくとも１つのメッセージを送信するように構成された前記送信機と、
前記ｎｏ−ＴＸモードが有効にされている状態のとき、全ダウンリンク制御チャネルリソースを解放し、ＲＮＴＩ（ネットワーク一時識別子）を維持するように構成されたプロセッサと
を備えることを特徴とするＷＴＲＵ。
【請求項９】
拡張専用チャネル（Ｅ−ＤＣＨ）を介してデータを送信するように構成された、アイドルモードにあるワイヤレス送受信ユニット（ＷＴＲＵ）であって、
送信バーストのための送信電力レベルを算出するように構成されたプロセッサと、
添付メッセージを含み得る前記送信バーストを、前記算出した送信電力レベルで送信するように構成された送信機と、
前記送信バーストを受信したことを確認するノードＢから捕捉インジケーション及びリソース割当を受信するように構成された受信機であって、前記リソース割当は割り当てられたＥ−ＤＣＨリソースを含む、前記受信機とを備え、
前記プロセッサは、前記割り当てられたＥ−ＤＣＨリソースを解放するように構成されている、又は、前記受信機が、予め定義された期間内に前記ノードBから前記捕捉インジケーションを受信しない場合、前記送信機は、前記ノードＢからの通知が受信されるまで送信電力を増やしながら後続送信バーストを送信するように構成されていることを特徴とするＷＴＲＵ。
【請求項１０】
前記受信機は、前記ＷＴＲＵを識別する拡張無線ネットワーク一時識別子（Ｅ−ＲＮＴＩ）とともにＥ−ＤＣＨ絶対許可チャネル（Ｅ−ＡＧＣＨ）を前記ノードＢから受信するようにさらに構成されていることを特徴とする請求項９に記載のＷＴＲＵ。
【請求項１１】
前記プロセッサ、前記送信機及び前記受信機は、前記ＷＴＲＵが前記ノードＢからの通知を受信した場合に、前記割り当てられたＥ−ＤＣＨリソースを解放するようにさらに構成されていることを特徴とする請求項９に記載のＷＴＲＵ。
【請求項１２】
前記ノードＢからの通知は、Ｅ−ＤＣＨ絶対許可チャネル（Ｅ−ＡＧＣＨ）で受信されることを特徴とする請求項１１に記載のＷＴＲＵ。
【請求項１３】
前記プロセッサ、前記送信機及び前記受信機は、前記ＷＴＲＵが送信すべきデータを有していない場合に、前記割り当てられたＥ−ＤＣＨリソースを解放するようにさらに構成されていることを特徴とする請求項９に記載のＷＴＲＵ。
【請求項１４】
前記プロセッサ、前記送信機及び前記受信機は、前記割り当てられたＥ−ＤＣＨリソースを受信してから予め定められた時間間隔が経過した場合に、前記割り当てられたＥ−ＤＣＨリソースを解放するようにさらに構成されていることを特徴とする請求項９に記載のＷＴＲＵ。
【発明の詳細な説明】
【技術分野】
【０００１】
本出願は、ワイヤレス通信に関する。
【背景技術】
【０００２】
電力制御は、モバイルＷＣＤＭＡ（Wideband Code Division Multiple Access：広帯域符号分割多元アクセス）通信システムにおいて、遠近問題を緩和し、ライズオーバーサーマル（ＲｏＴ：ｒｉｓｅ  ｏｖｅｒ  ｔｈｅｒｍａｌ）ノイズを許容可能レベル未満に保つために不可欠である。遠近問題は、複数送信機が異なる距離から１つの受信機に送信を行う場合に起こり、その結果、近くの送信機から受信された信号がより大きい干渉を引き起こし、より遠くの送信機から受信された信号の信号対ノイズ比（ＳＮＲ）を低下させる。例えば、この問題は、複数ＷＴＲＵ（ワイヤレス送受信ユニット）が、ワイヤレス通信システムにおいて、基地局、または同等にはノードＢと通信しているときに起こり得る。
【０００３】
ワイヤレス通信システムは、ＣＤＭＡ（符号分割多元アクセス）技術に、および具体的には３ＧＰＰ（第３世代パートナーシッププロジェクト）ＷＣＤＭＡ  ＦＤＤ（周波数分割複信）システムに基づき、したがってシステム性能を向上するための閉ループ電力制御機構に依拠する。典型的なＷＣＤＭＡシステムでは、ＵＬ（アップリンク）電力は、ＤＰＣＨ（ダウンリンク専用物理チャネル）またはＦ−ＤＰＣＨ（フラクショナルＤＰＣＨ）上で、ＷＴＲＵ（ワイヤレス送受信ユニット）に搬送される、ノードＢから定期的に送信されるＴＰＣ（送信電力制御）コマンドを用いて調整される。ＤＬ（ダウンリンク）電力は、アップリンクＤＰＣＣＨ（専用物理制御チャネル）上でノードＢに搬送される、ＷＴＲＵからのＴＰＣコマンドを用いて調整される。アップリンクＤＰＣＣＨは、パイロットビットが受信信号の正確な復調を可能にするように、受信機でチャネル推定を実施するためにパイロットビットも搬送する。図１は、ＷＣＤＭＡ通信システムにおける電力制御ループチャネルの従来の使用を示す。ＷＴＲＵおよびノードＢは各々、Ｆ−ＤＰＣＨまたはＤＰＣＨおよびＤＰＣＣＨを含む、確立された無線リンクを介した通信信号の送信および受信に使用するため、少なくともプロセッサ、送信機および受信機を装備する。プロセッサは、階層化された通信プロトコルに従って動作し、概してＭＡＣ（メディアアクセス制御）層構成要素（レイヤ２）、ＰＨＹ（物理）層構成要素（レイヤ１）ならびにＲＲＣ（無線リソース制御）層構成要素およびＲＬＣ（無線リンク制御）層構成要素を含むが、それに限定されない上位層構成要素（レイヤ３以上）を含む。
【０００４】
アップリンク上でのＤＰＣＣＨの送信は、顕著な電力オーバーヘッドを呈すが、このオーバーヘッドはＷＴＲＵでのバッテリ電力を削減するだけではなく、ノードＢにおけるさらなるノイズ上昇をもたらす。さらに、ダウンリンク上でのＦ−ＤＰＣＨまたはＤＰＣＨの送信は、電力オーバーヘッドにも寄与し、一層重要なこととして、乏しいＣＤＭＡ符号リソースを消費する。概して、電力制御ループの維持は、比較的コストがかかるので、必要な場合、つまりＷＴＲＵがデータを送信し、または受信するときに限定されるべきである。
【０００５】
３ＧＰＰ ＷＣＤＭＡ ＦＤＤ 標準は、移動体ＷＴＲＵが電力および無線リソースを効率的に使用することを可能にするためのいくつかの動作モードおよび状態を規定している。ＷＴＲＵによって使われるリソースおよび電力の量は、その現在のモードおよび状態に依存する。概して、アイドルモードにあるＷＴＲＵは、セルサーチを実施し、ごくわずかの電力を使う。接続モードになると、ＷＴＲＵは、ＣＥＬＬ＿ＰＣＨ状態、ＵＲＡ＿ＰＣＨ状態、ＣＥＬＬ＿ＦＡＣＨ状態およびＣＥＬＬ＿ＤＣＨ状態という４つの状態の１つになり得る。ＣＥＬＬ＿ＰＣＨ状態およびＵＲＡ＿ＰＣＨ状態では、ＷＴＲＵは、ページングメッセージのためにネットワークをモニターし、ネットワークに移動メッセージを伝達し、したがってごく少量の電力およびネットワークリソースを使う。ＣＥＬＬ＿ＦＡＣＨ状態では、ＷＴＲＵは、可能性のある専用メッセージのためにネットワークを絶えずモニターするので、より多くの電力およびネットワークリソースを要する。ＣＥＬＬ＿ＦＡＣＨ状態にあるＷＴＲＵは、ＲＡＣＨ（ランダムアクセスチャネル）上でのデータ送信を開始することができるが、ＲＡＣＨは、少量のデータにのみ適している。ＣＥＬＬ＿ＤＣＨ状態では、全専用リソースがＷＴＲＵに割り振られ、電力制御ループは絶えず維持される。これは、最も電力を消費する状態であり、ネットワークとの間の連続送信向け、およびより大量のデータの搬送向けに設計されている。異なる状態の間の関係についての詳細は、本明細書に組み込まれる非特許文献１に記載されている。
【０００６】
非特許文献２では、ＶｏＩＰ（ボイスオーバーインターネットプロトコル）および他の散発的トラフィックの送信に関連した電力制御オーバーヘッドを削減するためのいくつかの特徴が採用された。具体的には、ＷＴＲＵおよびノードＢに、電力制御およびＣＱＩ（チャネル品質情報：channel quality information）報告の頻度を削減させ、そうすることによってセル内でサポートすることができるユーザの数を増すためのＤＴＸ（不連続送信：Discontinuous Transmission）およびＤＲＸ（不連続受信：Discontinuous Reception）動作モードが提供された。こうした動作モードは、ＶｏＩＰおよび同様のタイプのトラフィック用には効率的であるが、ＤＴＸおよびＤＲＸは、長さの足りないメッセージまたはバースト性があるトラフィックがその後に続く長い非アクティブ期間を特徴とするトラフィック用に十分な省電力能力を提供していない。このタイプのトラフィックの例は、ＶＰＮ（仮想私設ネットワーク：virtual private network）のキープアライブメッセージ、ＵＲＬ（ユニフォームリソースロケータ）リクエスト、インターネットの閲覧、ファイルダウンロードおよびｅメールを含む。こうしたケースでは、長い非アクティブ期間（読込み時間ともいう）中、電力制御ループ、つまりＤＰＣＣＨおよびＦ−ＤＰＣＨ／ＤＰＣＨは、データがまったく送信されない場合でも依然として維持される。
【０００７】
こうしたタイプのデータトラフィックにとって、リソースを消費する電力制御ループをＣＥＬＬ＿ＤＣＨ状態に維持することは非効率になる。電力制御オーバーヘッドは、サービスを受けることができるユーザの数を直接制限し、ＵＬ上での追加ノイズ上昇およびＤＬ上での追加干渉レベルに転換される。このオーバーヘッドは、ＷＴＲＵの乏しいバッテリリソースの非効率な使用にもつながる。非特許文献２の現在の技術を用いる１つのオプションは、新規メッセージが送信される必要があるときは毎回、ＣＥＬＬ＿ＦＡＣＨ状態（またはＣＥＬＬ＿ＰＣＨ状態、ＵＲＡ＿ＰＣＨ（ユニバーサル地上無線アクセスネットワーク登録エリアページングチャネル））からＣＥＬＬ＿ＤＣＨ状態にＷＴＲＵを移すものであり、ＷＴＲＵはその後、ＣＥＬＬ＿ＦＡＣＨ状態（またはＣＥＬＬ＿ＰＣＨ状態、ＵＲＡ  ＰＣＨ）状態に戻る。ただし、この手順は結果として、大規模なシグナリングおよびリソースオーバーヘッドを生じる。さらに、伝統的ＲＡＣＨは、大量のデータを送信するように設計されていないので、ＷＴＲＵをＣＥＬＬ＿ＦＡＣＨ状態に維持することは適切でないであろう。
【０００８】
さらに、ＨＳＤＰＡネットワークにおける重要なリソースは、ノードＢ  ＤＬ符号空間である。非特許文献３および非特許文献２におけるＤＰＣＨの強化は、ノードＢ  ＤＬ符号空間に関連したダウンリンク電力オーバーヘッドを削減するが、Ｆ−ＤＰＣＨ符号リソースがＤＲＸ受信側ＷＴＲＵにも割り当てられるので、符号オーバーヘッドの削減はできていない。その結果、Ｆ−ＤＰＣＨ符号リソースは、他のＷＴＲＵによって使うことができない。
【先行技術文献】
【非特許文献】
【０００９】
【非特許文献１】3GPP Technical Standard (TS) 25.331 V7.5.0
【非特許文献２】3GPP high speed downlink packet access (HSDPA) Release 7
【非特許文献３】3GPP HSDPA Release 6
【発明の概要】
【発明が解決しようとする課題】
【００１０】
したがって、ＷＴＲＵとノードＢとの間のＤＰＣＣＨ連続送信への依存をなくすことによって、無線リンクの効率を上げることが望ましい。長い非アクティブ期間中の無線オーバーヘッドを削減し、制御チャネルによって引き起こされる干渉を削減し、ＤＬ上での符号可用性を増すことによって、乏しいバッテリリソースを効率的に使用する技術も望まれる。
【課題を解決するための手段】
【００１１】
間欠トラフィックに関連した無線リソースオーバーヘッドを削減するための方法および機器が開示される。具体的には、ＴＰＣコマンドが専用チャネル上で保留されるＮｏ−ＴＸ動作モードが定義される。トリガおよび信号通知が、ＷＴＲＵ（ワイヤレス送受信ユニット）およびノードＢに、ＣＥＬＬ＿ＦＡＣＨ状態、あるいはＣＥＬＬ＿ＤＣＨ状態に留まりながらアップリンクＤＰＣＣＨ（専用物理制御チャネル）およびＤＰＣＨ（ダウンリンク専用物理チャネル）またはＦ−ＤＰＣＨ（フラクショナルＤＰＣＨ）を介した電力制御更新および関連の信号通知（signaling：シグナリング）の送信を停止させる。その結果、システム容量およびＷＴＲＵバッテリ寿命が増すと同時に、ＷＴＲＵがＣＥＬＬ＿ＤＣＨ状態に入った場合よりも、電力制御更新および関連信号通知の送信を速く再開させる。ＷＴＲＵは、その構成の一部を、送信の再開が状態変化を要求しないようにＮｏ−ＴＸモードに維持する。したがって、待ち時間および信号オーバーヘッドが削減される。一実施形態では、Ｎｏ−ＴＸモードがアクティブにされると、ダウンリンクおよびアップリンク送信機会のセットが、通信用のネットワークによって定義される。別の実施形態では、無線リソースおよび構成パラメータが、Ｎｏ−ＴＸモードにあるＷＴＲＵによって解放され、または維持されるためのレベルを記述する、リソース持続オプションセットが定義される。別の実施形態では、Ｎｏ−ＴＸモードがアクティブにされ得るためのトリガおよび方法のセットが提供される。別の実施形態では、Ｎｏ−ＴＸ動作モードが非アクティブ化されることができ、データ送信用に専用チャネル送信が再開できるようにするためのトリガおよび方法のセットが提供される。別の実施形態では、ＷＴＲＵが、Ｎｏ−ＴＸモードにありながらノードＢとの通信を再開できるための方法のセットが提供される。別の実施形態では、典型的なＣＥＬＬ＿ＦＡＣＨまたはＣＥＬＬ＿ＤＣＨ無線送信動作が再開するために、Ｎｏ−ＴＸモードの非アクティブ化に続く無線リンク再確立のための技術が提供される。別の実施形態では、Ｎｏ−ＴＸモードにあるＷＴＲＵが、ノードＢからのいかなる明示的信号通知なしでも無線リソースまたは構成を取得するための方法が提供される。別の実施形態では、Ｎｏ−ＴＸモードにあるユーザへの無線リソースの一時的割振りが提供される。別の実施形態では、ＷＴＲＵに高速部分リンク再構成メッセージを与える技術が提供される。
【００１２】
添付の図面とともに例として挙げられる以下の説明により、より詳細な理解が得られよう。
【図面の簡単な説明】
【００１３】
【図１】ＷＣＤＭＡ（広帯域符号分割多元アクセス）通信システムにおける電力制御ループチャネルの従来の使用を示す図である。
【図２】Ｎｏ−ＴＸモードでのＷＴＲＵ送信のランプアップ手順を示すフロー図である。
【図３】共有情報を用いてダウンリンク専用物理チャネル符号および符号中のオフセットインデックスを決定するハッシュ関数を示す図である。
【発明を実施するための形態】
【００１４】
これ以降で言及する場合、「ＷＴＲＵ（ワイヤレス送受信ユニット）」という用語は、ＵＥ（ユーザ機器）、移動局、固定もしくは携帯電話加入者ユニット、ページャ、セルラー電話、携帯情報端末（ＰＤＡ）、コンピュータ、またはワイヤレス環境において動作することが可能な他のどのタイプのユーザ装置も含むが、それに限定されない。これ以降で言及する場合、「基地局」という用語は、ノードＢ、サイトコントローラ、アクセスポイント（ＡＰ）、またはワイヤレス環境において動作することが可能な他のどのタイプのインターフェース装置も含むが、それに限定されない。
【００１５】
ＴＰＣ（送信電力制御：Transmission Power Control）コマンドが保留（suspend）される新規動作モードが提供される。この新規動作モードは本明細書では便宜上、Ｎｏ−ＴＸ（「送信なし：no Transmit」）モードと呼ばれる。ただし、所望により他の名称が使われてもよい。より一般的には、Ｎｏ−ＴＸモードは、ＤＰＣＨ（専用物理チャネル）もＦ−ＤＰＣＨ（フラクショナルＤＰＣＨ）リソースも割り当てられないが、必要とされるときにデータの完全送信を再開する時間を短縮するという意味で、新しい形のＣＥＬＬ＿ＦＡＣＨ状態と解釈され得る。本明細書において提供するＮｏ−ＴＸモードならびに方法および実施形態は、電力制御オーバーヘッドを被る、電力制御ループを利用するどのワイヤレス通信システムにも応用することができる。本明細書における教示は主に、ＷＣＤＭＡ（広帯域符号分割多元アクセス）通信システムを対象として、例示目的のためにＣＥＬＬ＿ＦＡＣＨ状態にあるＷＴＲＵに関して記載されるが、例えば、ＣＥＬＬ＿ＤＣＨ状態にあるＷＴＲＵに応用することもできる。
【００１６】
ダウンリンクおよびアップリンク送信機会
【００１７】
第１の実施形態によると、Ｎｏ−ＴＸモードがアクティブにされると、ＤＬ（ダウンリンク）およびＵＬ（アップリンク）送信機会のセットが、通信用のネットワークによって定義される。Ｎｏ−ＴＸモードがアクティブにされると、ＤＬ  Ｆ−ＤＰＣＨまたはＤＰＣＨおよびＵＬ  ＤＰＣＣＨ（専用物理制御チャネル）は、それ以上送信されない。ＤＬ  Ｆ−ＤＰＣＨまたはＤＰＣＨおよびＵＬ  ＤＰＣＣＨの送信を再開するために、ネットワークは、ノードＢおよびＷＴＲＵ両方に送信機会を与える。こうした送信機会は、それぞれ、ＤＬ上のＷＴＲＵおよびアップリンク上のノードＢである、受信端でのリッスン期間の形をとる。例えば、ネットワーク（ノードＢ）送信機会（または同等にはＷＴＲＵリッスン期間）中、ＷＴＲＵは、起こり得るネットワーク送信をリッスンする。ＷＴＲＵ送信機会（または同等にはネットワークリッスン期間）中、ネットワーク（ノードＢ）は、起こり得るＷＴＲＵ送信をリッスンする。
【００１８】
送信機会（または同等にはリッスン期間）は、上位層によって信号通知してもよく、事前構成してもよい。送信機会は、既知の周期パターンの形もとり得る。任意選択で、アップリンクおよびダウンリンク送信機会の周期パターンは、柔軟性を増すために、別個に定義することができる。あるいは、リッスン期間は、既存の連続パケット接続性（ＣＰＣ）定義を用いて定義することができるが、比較的長い周期となる。
【００１９】
Ｎｏ−ＴＸモードでは、リッスン期間が長くなるので、ネットワークは、Ｎｏ−ＴＸモードにおいて異なるＷＴＲＵの間に存在する重複が最小となるように、送信機会を構成することが可能である。これにより、ネットワークが、例えば、ＨＳ−ＳＣＣＨ（高速共有制御チャネル）符号、Ｅ−ＨＩＣＨ（Ｅ−ＤＣＨ（拡張専用チャネル）ＨＡＲＱ（ハイブリッド自動再送リクエスト）ＡＣＫ（受信応答）インジケータチャネル）符号またはそれ以外を含むリソースを多重化する機会が与えられる。代替実施形態によると、ネットワークは、ＷＴＲＵ送信機会を与えるのではなく、ネットワーク送信機会中にポーリングを用いてよい。
【００２０】
リソース持続オプション
別の実施形態によると、Ｎｏ−ＴＸモード中にＷＴＲＵによって無線リソースおよび構成パラメータが解放され、または維持されるレベルを記述するリソース持続オプションセットが提供される。従来の通信システムでは、ノードＢは、ＣＥＬＬ＿ＦＡＣＨ状態に入るＷＴＲＵに様々なリソースを割り振ることができる。具体的には、ノードＢは、ＲＮＴＩ（無線ネットワーク一時識別子：radio network temporary identifier）、アップリンクスクランブル符号、少なくとも１つのフレームオフセット、ダウンリンクチャネル符号、ならびに様々な制御およびデータチャネル用シグネチャを、ＣＥＬＬ＿ＦＡＣＨの各ＷＴＲＵに割り振ることができる。こうしたリソースのいくつか、例えばダウンリンクチャネライゼーションコードおよびシグネチャの数は、制限される。
【００２１】
ＷＴＲＵがＮｏ−ＴＸモードに入ると、こうしたリソースのいくつかは、リソースが他のＷＴＲＵによって使われ得るように、システムレベルで解放すればよい。いくつかのリソース持続オプションの少なくとも１つは、Ｎｏ−ＴＸモード用に構成することができる。完全持続、ＤＬ  Ｅ−ＤＣＨ制御チャネル解放、およびＤＬ制御チャネル解放というリソース持続オプションが使われ得る。完全持続では、Ｎｏ−ＴＸモードにあるＷＴＲＵは、割り振られたリソースすべてを保持し、その構成を維持する。ＤＬ  Ｅ−ＤＣＨ制御チャネル解放では、Ｎｏ−ＴＸモードにあるＷＴＲＵが、例えば、Ｅ−ＲＧＣＨ（Ｅ−ＤＣＨ相対許可チャネル）、Ｅ−ＤＣＨ  ＨＡＲＱ（ハイブリッド自動再送リクエスト）受信応答インジケータチャネル（Ｅ−ＲＩＣＨ）、およびＥ−ＡＧＣＨ（Ｅ−ＤＣＨ絶対許可チャネル）を含む、Ｅ−ＤＣＨ（拡張専用チャネル）に関するダウンリンク制御チャネルをすべて解放するが、Ｆ−ＤＰＣＨ（またはＤＰＣＨ）割振りおよび関係オフセット、さらにその様々なＲＮＴＩ（無線ネットワーク一時識別子）、アップリンクスクランブル符号ならびに他のリソースおよび構成を保持する。ＤＬ制御チャネル解放では、Ｎｏ−ＴＸモードにあるＷＴＲＵが、チャネライゼーションコード、シグネチャ、およびフレームオフセットを含む、ダウンリンク制御チャネルリソースをすべて解放するが、様々なＲＮＴＩ、アップリンクスクランブル符号ならびに他のリソースおよび構成を保持する。
【００２２】
ある特定のＮｏ−ＴＸモードリソース持続オプションが、可能性のある関連した動作パラメータとともに上位層からＷＴＲＵに信号通知され得る。あるいは、ＷＴＲＵは、ある特定のリソース持続オプションを使うように構成することもでき、そのオプションに関連したパラメータは、上位層から信号通知され、または予め定義される。
【００２３】
代替実施形態では、リソース持続オプションは、より長い非アクティブ期間の後により多くの情報が解放されるように、時間とともに変わる。例として、以下のリソース持続オプションパターンが構成されても、または信号通知されてもよい。Ｎｏ−ＴＸモードを開始すると、完全持続オプションが有効にされる。一定の非アクティブ期間（予め定義し、または信号通知することができる）の後、例えばＴＴＩ、フレームの数または別の持続期間測定結果に関して、持続オプションは、自動的にＤＬ（ダウンリンク）Ｅ−ＤＣＨ制御チャネル解放に変わる。次いで、さらに一定の非アクティブ期間の後、持続オプションは、自動的にＤＬ制御チャネル解放に変わる。他のリソース持続パターンも、所望に応じて定義することができる。
【００２４】
Ｎｏ−ＴＸモードの有効化
トリガおよび方法のセットが、Ｎｏ−ＴＸモードをアクティブにすることができる。少なくとも１つのＷＴＲＵを用いて少なくとも１つのＮｏ−ＴＸモードを有効にするために、可能ないくつかの方法が存在する。
【００２５】
一実施形態では、無線リンクが構成されると、Ｎｏ−ＴＸモードが有効にされる。Ｎｏ−ＴＸモードは、構成されると直ちに、または信号通知され、もしくは事前構成された時間遅延の後でアクティブにすることができる。
【００２６】
別の実施形態では、上位層信号通知によりＮｏ−ＴＸモードが有効にされ、好ましくはレイヤ３ＡＣＫ（受信応答）を伴う。少なくとも１つのＮｏ−ＴＸモードの開始時間が、ＲＲＣ（無線リソース制御：radio resource control）などの上位層によって、メッセージの一部として信号通知される。あるいは、Ｎｏ−ＴＸモードの開始時間は、上位層メッセージの到着時間、またはＵＬ（アップリンク）ＡＣＫ（受信応答）の送信時間によって暗黙的に決定される。
【００２７】
別の実施形態では、指定された非アクティブ期間の後でＮｏ−ＴＸモードが有効にされ、この場合、トリガ基準として使われる非アクティブ期間の実効値が、上位層によって信号通知され、または予め定義され得る。一実施形態では、段階的手法が定義され得る。例えば、Ｘ、Ｙ、Ｚを、０より大きい数であるとみなす。Ｘだけ続く非アクティブ期間が、ＣＰＣ  ＤＴＸ動作をトリガし、Ｘ＋Ｙというより長引いた非アクティブ期間が、Ｎｏ−ＴＸモードをトリガする。ＷＴＲＵがＣＥＬＬ＿ＤＣＨ状態にある場合、Ｘ＋Ｙ＋Ｚというさらに長引いた期間が、ＷＴＲＵがＣＥＬＬ＿ＦＡＣＨ状態に遷移することをトリガする第３のフェーズが含まれてよい。
【００２８】
別の実施形態では、Ｎｏ−ＴＸ動作を開始するためのリクエストを、ＷＴＲＵがＲＡＮ（無線アクセスネットワーク：radio access network）またはノードＢに送ると、Ｎｏ−ＴＸモードが有効にされる。バッテリレベルおよびトラフィック使用をモニターする特権を有するＷＴＲＵ上のアプリケーションは、Ｎｏ−ＴＸモードが開始されるようＲＡＮにリクエストするメッセージの送信をトリガすることができる。このようなリクエストは、Ｎｏ−ＴＸモードに関する開始時間ならびに提案される送信機会パターンおよび／または周期などのＮｏ−ＴＸモードパラメータを含み得る。好ましい実施形態では、ＲＡＮへのリクエストおよびＲＡＮからの潜在的応答は好ましくは、上位層によって信号通知される。
【００２９】
別の実施形態では、ＨＳ−ＳＣＣＨ（高速共有制御チャネル）順序を用いてＮｏ−ＴＸモードが有効にされ、好ましくはレイヤ１ＡＣＫを伴う。ＨＳ−ＳＣＣＨ順序タイプフィールド中の現在の予約ビットは、新しい順序タイプを示すのに使うことができる。この手法は、Ｎｏ−ＴＸモードの有効化または無効化を示すために、順序タイプフィールド中に２ビットを残し、付加情報を搬送することができる。あるいは、Ｎｏ−ＴＸモードの有効化のために、新しいＨＳ−ＳＣＣＨ形式が定義されてもよい。さらに、代替実装形態では、チャネライゼーションコードセットビット、変調ビットおよび／または移送ブロックサイズの新たな組合せが、新しいＨＳ−ＳＣＣＨ順序用に指定されてよい。この手法は、付加情報を搬送するのに使うことができるより多くのビットが使用可能であるという利点をもつ。次いで、開始時間、および可能性としてはＮｏ−ＴＸモードに関する他のパラメータが、ＨＳ−ＳＣＣＨ順序の相対タイミングによって、またはＡＣＫの時間から暗黙的に決定され得る。
【００３０】
Ｎｏ−ＴＸモードの無効化
トリガおよび方法のセットが、ＤＰＣＣＨ送信を再開するためにＮｏ−ＴＸ動作モードを非アクティブ化することができる。Ｎｏ−ＴＸモードが無効にされると、ＷＴＲＵは、通常のＣＥＬＬ＿ＦＡＣＨ状態（または代替的には、ＣＥＬＬ＿ＤＣＨ状態）に戻り、ＤＲＸおよび／またはＤＴＸ期間を含むように構成すればよい。この挙動は、構成時などに、上位層によって信号通知（signaling）しても、事前構成してもよい。
【００３１】
タイマに基づく方法では、ＷＴＲＵおよびノードＢは両方とも、Ｎｏ−ＴＸモードが無効にされる時点が分かる。この時点は、Ｎｏ−ＴＸモードの有効化に相対した時間遅延で指定することができ、あるいは、フレームおよびサブフレーム番号によって絶対時間として特定することができる。この時点は、構成またはＮｏ−ＴＸモードの有効化の間に上位層によって信号通知することも、事前構成することもできる。無線リンクを確立し直すのに要求されるリソースも、構成またはＮｏ−ＴＸモードの有効化の間に上位層によって構成することも、事前構成することもできる。Ｎｏ−ＴＸモードが無効化されると、ノードＢおよびＷＴＲＵは、無線リンクを確立し直すことができる。Ｎｏ−ＴＸモードから無線リンクを確立し直す技術は、後で詳しく論じる。
【００３２】
ネットワークによる開始方法では、ネットワークは、Ｎｏ−ＴＸモードの無効化を開始する。第１の実施形態において、ノードＢは、特定のネットワーク送信機会または同等にはＷＴＲＵリッスン期間中にＷＴＲＵにポーリングを行う。ノードＢからのポーリングメッセージは、ＲＲＣまたはリソース割振りのための他のタイプの上位層メッセージ通信の必要をなくすためのリソース割振り情報を含み得る。この特徴は、ごくわずかのパラメータしか構成される必要がないので、特に有用である。この割振りは、暗黙的もしくは明示的に、または両方を組み合わせて信号通知することができる。メッセージに含まれる実際の情報は、リソース持続オプションに依存する。
【００３３】
完全持続オプションのケースでは、リソース割振りは必要ない。ＤＬ  Ｅ−ＤＣＨ制御チャネル解放オプションの場合、Ｅ−ＨＩＣＨチャネライゼーションコードと、Ｅ−ＨＩＣＨおよびＥ−ＲＧＣＨシグネチャと、Ｅ−ＡＧＣＨチャネライゼーションコードと、おそらくそれ以外のものとが信号通知される。こうしたリソースに加えて、Ｆ−ＤＰＣＨまたはＤＰＣＨチャネライゼーションコードおよびオフセット、ならびにおそらく他の情報も、ＤＬ制御チャネル解放オプションのケースでは割り振られ信号通知される必要がある。
【００３４】
ポーリングは、ＨＳＤＰＡ類似手法、ＨＳ−ＳＣＣＨ非類似手法、ＨＳ−ＳＣＣＨ順序手法、新規チャネル手法、およびページング手法を含む様々な手法を用いて実施することができる。
【００３５】
ＨＳＤＰＡ類似手法では、ＷＴＲＵは、Ｈ−ＲＮＴＩ（ＨＳ−ＤＳＣＨ（高速ダウンリンク共有チャネル）無線ネットワークトランザクション識別子）およびＨＳ−ＳＣＣＨに関する、リッスンするべき符号のリストを既にもっている。Ｎｏ−ＴＸモードＲＲＣ構成の一部として、リッスンするべきＨＳ−ＳＣＣＨ符号のリストは、Ｎｏ−ＴＸモードにあるＷＴＲＵ向けに削減することができる。次いで、ＨＳ−ＳＣＣＨおよびＨＳ−ＤＰＣＨは、ＷＴＲＵに制御データを送信するのに使うことができる。Ｎｏ−ＴＸモードでは、送信電力を妥当なレベルに保つためのアクティブな閉ループ電力制御がないので、送信信号のデータ部分は、強力な符号化を用いるべきであり、かつ／またはより高い電力で送信されるべきである。構成可能な数のＨＡＲＱ再送信も、堅牢性を加えるのに用いることができる。
【００３６】
ＨＳ−ＳＣＣＨ非類似手法では、ＨＳＤＰＡ類似手法と同じ手法が用いられるが、ＨＳ−ＳＣＣＨ送信は実施されない。ＷＴＲＵでの復号の複雑さを削減するために、リッスン用より少ない数のチャネライゼーションコードおよび限られた数の移送形式（transport format）が構成され、またはＷＴＲＵに信号通知され得る。ＨＳ−ＤＰＣＨは、ＷＴＲＵが送信するべきデータをもっているときに用いることができるリソース割振りを含む。
【００３７】
ＨＳ−ＳＣＣＨ順序手法では、新しい順序タイプを作成するのに既存の予約ビットを使うことによって、ＷＴＲＵにポーリングを信号通知するのに、ＨＳ−ＳＣＣＨ順序も使うことができる。あるいは、チャネライゼーションコードセットビットの新たな組合せならびに変調ビットおよび／または移送ブロックサイズが、新しいＨＳ−ＳＣＣＨ順序用に指定されてもよい。この手法は、チャネライゼーションコード割振り情報などの付加情報を搬送するのに使うことができる、より多くのビットが使用可能であるという利点をもつ。
【００３８】
新規チャネル手法では、要求される一部または全部のチャネル割振りを含み得る新規チャネルが、ポーリング機構用に定義され得る。例えば、このチャネルは、可能性のあるセットの集合体のうち、関連づけ（association）の時点でＷＴＲＵに予めブロードキャストされ、または送られている、使われるべきリソースセットを示すことができる。
【００３９】
ページング手法では、ポーリング用にページングチャネルがさらに使われ得る。ポーリングメッセージが送られた後、ノードＢは、上位層によって信号通知することも事前構成することもできる所与の期間だけ、ＷＴＲＵ返答をリッスンする。
【００４０】
ポーリングメッセージに応答して、ＷＴＲＵがその送信バッファにデータをもっている場合、ＷＴＲＵは受信応答を送信する。受信応答メッセージは、以下の形のうち１つをとり得る。第１の形では、ＡＣＫ（受信応答）メッセージは、好ましくはランプアップ手順を用いる、１つまたはいくつかのＵＬ  ＤＰＣＣＨスロットの送信の形である。このランプアップ手順は、後でさらに詳しく記載する。別の形では、ＡＣＫメッセージは、ＨＳ−ＤＰＣＣＨ（高速ＤＰＣＣＨ）上で送信される。ＵＬ  ＤＰＣＣＨに加えて、ＷＴＲＵは、ノードＢにＨＳ−ＤＰＣＣＨ受信応答も送信することができる。関連ＤＰＣＣＨ送信電力は、上位層によって信号通知され、または事前構成された通りに、ランプアップ手順を用いても、追加電力ヘッドルームを有する開ループ制御機構を用いても設定することができる。ＤＰＣＣＨに関するＨＳ−ＤＰＣＣＨ電力オフセットは、上位層によって信号通知しても、事前構成してもよい。さらに、ＣＱＩ（チャネル品質指示）報告および／またはスケジューリングリクエストが同時に送られてよく、そうすることによってノードＢに付加情報を提供する。別の形では、ＷＴＲＵの送信バッファ中にＷＴＲＵがデータをもっている場合、ＵＬ  ＤＰＣＣＨとＨＳ−ＤＰＣＣＨとの要素を組み合わせる新規チャネルが、受信応答を送信するのに使われ得る。この新規チャネルは、後で説明する手順および概念を利用することができ、ＷＴＲＵ送信バッファについての付加情報を含み得る。例えば、新規チャネルは、スケジューリング情報、ＣＱＩ、および他の情報を含み得る。
【００４１】
ＷＴＲＵから受信されたＡＣＫに基づいて、ノードＢは、ＷＴＲＵが送信するべきデータをもっていることを意識し、後で説明するようにリンク再確立手順を始める。
【００４２】
ＷＴＲＵが送信するべきデータをもたない場合、ＷＴＲＵ送信機会が存在すると仮定すると、ＷＴＲＵは、ノードＢのポーリングに返答しなくてよい。あるいは、ＷＴＲＵが送信するべきデータをもたない場合、ＷＴＲＵは、ＷＴＲＵ送信バッファ中にデータがないことを、否定受信応答（ＮＡＣＫ）によりノードＢに知らせればよい。ＷＴＲＵは任意選択で、ＷＴＲＵがアクティブであり存在するという測定結果をネットワークに、および／または信号をネットワークに与えてよい。ＷＴＲＵにとっては、ＷＴＲＵがノードＢと通信するのと同じ、上述したやり方でノードＢに応答することが有利であり得る。定義されたＷＴＲＵ送信機会がない場合、ＷＴＲＵは、上述した機構を用いて、ノードＢのポーリングに返答する。
【００４３】
ノードＢが、Ｎｏ−ＴＸモードにあるＷＴＲＵに送信するべきデータをもっている場合、ノードＢは、そのＷＴＲＵ向けに定義されたネットワーク送信機会の１つを利用することができる。ノードＢは、ネットワーク送信機会中にＷＴＲＵに初期メッセージを送る。例えば、ノードＢは、上述した信号通知方法の１つを用いてよい。具体的には、初期のノードＢの送信は、データを含んでも含まなくてもよく、ＷＴＲＵ用のチャネル構成情報を含んでよい。次いで、ＷＴＲＵは、上述した方法の１つを用いて、ノードＢを存在確認する。最後に、ノードＢが確認メッセージを受信した後、無線リンク初期化手順が開始され、データ転送が始まり得る。
【００４４】
あるいは、ネットワーク送信機会中に、ＷＴＲＵおよびノードＢが無線リンクを確立し直してもよい。これは、完全持続オプションを用いるケースでのように、Ｆ−ＤＰＣＨが割り振られる場合に遂行することができ、かつ後で説明する無線リンク再確立手順に従うことによって遂行することができる。ただし、この方法の不利な点は、すべてのネットワーク送信機会ごとに無線リンクが確立し直され、そうすることによって無線リソースおよびバッテリ電力を浪費することである。
【００４５】
別の実施形態では、ＷＴＲＵは、Ｎｏ−ＴＸモードの無効化を開始する。ＷＴＲＵが、送信するべきデータをもっている場合、ＷＴＲＵは、次の有効なＷＴＲＵ送信機会を待つ。ＷＴＲＵ送信バッファの状態をノードＢに知らせるために、ＷＴＲＵは、後で説明する異なる機構を用いて、ノードＢにリクエストを送ることができる。首尾よくリクエストを送った後、ノードＢは、ＷＴＲＵが送信するべきデータをもっていることを意識し、リンク再確立手順を開始する。ＷＴＲＵが、送信機会をとらえるのに失敗した場合、例えばＷＴＲＵが所与の期間にノードＢ返答または受信応答を受信していないとき、ＷＴＲＵは、再度試みるために次の送信機会を待たなければならない。あるいは、所与の回数だけ試みが失敗した後、ＷＴＲＵは、標準技術を用いてノードＢと交信するのに、ＲＡＣＨを使うことができる。ネットワークは、ＷＴＲＵがその無線リソースを保持するかどうか判定し、または新規無線リソース向けにＷＴＲＵを再構成することができる。あるいは、ＷＴＲＵがＣＥＬＬ＿ＤＣＨ状態にある場合、ＷＴＲＵは、自律的にＣＥＬＬ＿ＦＡＣＨ状態に復帰し、既存の機構を用いてデータ送信用のリソースをリクエストすることができる。
【００４６】
Ｎｏ−ＴＸモードでのＷＴＲＵ送信
Ｎｏ−ＴＸ動作モードは、ＷＴＲＵによる送信の中断を特徴とするが、ＷＴＲＵが、Ｎｏ−ＴＸ動作モードにある間にノードＢに送信を送る必要があり得る場合がある。こうした場合は、以下の状況例に限定されるわけではないが、以下のいずれにおいても起こり得る。例えば、ＷＴＲＵがＮｏ−ＴＸ動作モードを出て、ノードＢとの無線リンク同期（リンク再確立）を再開する必要がある場合がある。ＷＴＲＵが依然としてアクティブであるとみなされるべきであることを示すために、ＷＴＲＵ活動通知（alive notification）などの通知を、ノードＢに送信する必要がある場合がある。このことは、ＷＴＲＵが、ＣＥＬＬ＿ＤＣＨ状態であったとしてもＣＥＬＬ＿ＦＡＣＨ状態であったとしても、その現在の状態に保持されるべきであることを含意し得る。スケジュールされ、または予測不可能な機構によってトリガされて、測定されたＣＰＩＣＨ（共通パイロットチャネル）電力の大規模な変化などの測定結果をノードＢに送信する必要がある場合がある。ノードＢのポーリングに受信応答または返答を送信する必要がある場合がある。
【００４７】
Ｎｏ−ＴＸモードにある間のＷＴＲＵ送信のための４つのシナリオが挙げられる。すなわち、（１）ノードＢでの過度なノイズ上昇の増大を制限するために、ＷＴＲＵにその電力を設定させるランプアップ手順、（２）Ｎｏ−ＴＸモードにあるＷＴＲＵに、ＷＴＲＵが依然としてアクティブとみなされるべきであることをノードＢに通知させるＷＴＲＵ活動通知、（３）無線リンク同期を再開するためのチャネル捕捉送信(channel acquisition transmission)、および（４）ＨＳ−ＳＣＣＨ（高速共有制御チャネル）を通して搬送される送信電力制御コマンドである。
【００４８】
図２は、Ｎｏ−ＴＸモードでのＷＴＲＵ送信用のランプアップ手順２００に関するフロー図である。Ｎｏ−ＴＸモードは、長期期間の間、いかなる電力制御ループなしでも、ＷＴＲＵをＣＥＬＬ＿ＦＡＣＨ状態（または代替的には、ＣＥＬＬ＿ＡＣＨ状態）に留まらせる。この期間中、ＷＴＲＵが単にＮｏ−ＴＸ動作モードを開始したときに使っていた最後の電力設定を用いてその送信を再開することを防ぐ、ＷＴＲＵとノードＢとの間のパス損失は、大きく変動している場合がある。Ｎｏ−ＴＸモードで動作するＷＴＲＵ送信から、ノードＢでの過度なノイズ上昇の増大を制限するために、ＷＴＲＵは、図２の電力ランピング手順２００を使う。
【００４９】
ステップ２０５で、ＷＴＲＵは、初期バースト（initial burst）を送信するのに使われる電力設定を算出する。電力設定の算出は、以下の基準の１つまたは複数に基づき得る。すなわち、上述の要素から電力設定をＷＴＲＵに引き出させる、事前構成され、または信号通知された式と、ＣＰＩＣＨからの電力測定結果と、ＣＰＩＣＨ上での送信電力を含む、ノードＢによって信号通知され、もしくは事前構成された情報、または様々なダウンリンクチャネル上での異なる電力設定およびオフセットであって、ノードＢとＷＴＲＵとの間のＣＰＩＣＨ電力およびパス損失をＷＴＲＵが推定するためのものと、ノードＢによって測定されたノイズ上昇に依存する可能性があり、使われるべき送信電力を算出するのにＷＴＲＵによって使われる、信号通知され、または事前構成されたマージンとである。
【００５０】
ステップ２１０で、ＷＴＲＵは、添付メッセージを任意選択で含み得る初期送信バーストを送る。初期バーストは、ＤＰＣＣＨ送信、またはＮｏ−ＴＸモードでのＷＴＲＵ送信専用の、予め定義された、もしくは予約済みシーケンスからなり得る。添付メッセージは、無線リソースリクエスト、例えばＦ−ＤＰＣＨリクエスト、ＷＴＲＵが依然としてアクティブであることを示す、ＷＴＲＵ活動通知と呼ばれるメッセージ、スケジューリング情報（ＳＩ）やＷＴＲＵによって測られた他のあらゆる測定結果など、ＷＴＲＵの所でバッファリングされたトラフィックについての情報、および少量のユーザデータトラフィックを含み得るが、それに限定されない。
【００５１】
ステップ２１５で、ＷＴＲＵは、ノードＢが送信バーストを受信したことを確認する、ノードＢからの通知を待つが、この通知は、任意選択で添付メッセージを含み得る。このノードＢからの通知は、捕捉インジケータチャネル（ＡＩＣＨ）、Ｅ−ＨＩＣＨ、ＥＡＧＣＨ（関連許可（association grant）ありでもなしでもよい）、ＨＳ−ＳＣＣＨ、ＤＰＣＨもしくはＦ−ＤＰＣＨまたはこの通知専用の新規チャネルを介して送信することができる。添付メッセージは、無線リソースを割り振り、チャネライゼーションコード、時間オフセット、制御チャネル用シグネチャ、またはＥ−ＡＧＣＨなどのスケジューリング許可を含むパラメータを構成する制御メッセージを含み得るが、それに限定されない。
【００５２】
ステップ２２０で、ＷＴＲＵは、所定の期間内に通知を受信したかどうか判定する。ＷＴＲＵが所定の期間内に通知を受信した場合、ランプアップ手順２００は終了する。ＷＴＲＵが、予め定義された期間内に通知を受信していない場合、ＷＴＲＵは、ステップ２２５で、ノードＢからの通知が受信されるまで、増大送信電力を増やして後続バーストを送信する。所定の回数だけ送信が失敗した後、ＷＴＲＵは、上位層に失敗を信号通知し、ランプアップ手順２００は終了する。失敗のケースでは、また、送信の重要度に依存して、ＷＴＲＵは、任意選択で、ノードＢと通信するためのチャネルの捕捉用にＲＡＣＨを使うなど、既存の方法に復帰してよい。
【００５３】
定義により、Ｎｏ−ＴＸモードは、どの信号もＷＴＲＵからノードＢに送信されないように保留するので、ノードＢは、どのユーザがＣＥＬＬ＿ＤＣＨ状態に保たれる必要があるか、またはＣＥＬＬ＿ＤＣＨ状態にあるどのユーザがＣＥＬＬ＿ＦＡＣＨにプッシュされ、もしくは単に切断される必要があるかをモニターするために、それ以上電力制御ループに依拠しなくてよい。上述したように、ＷＴＲＵがＮｏ−ＴＸモードにある間にノードＢに信号を送信する１つの動機は、ノードＢが、Ｎｏ−ＴＸモードにあるどのＷＴＲＵが依然としてアクティブとみなされるべきか、何のためにノードＢが、符号および／またはメモリなどいくつかのリソースを予約し続けることになるか、ならびにどのＷＴＲＵが切断される必要があるか追跡できるようにするためである。したがって、図２を参照して上述した送信バーストおよび手順は、ＷＴＲＵによって、ＷＴＲＵが依然としてアクティブユーザとみなされるべきであることを通知するのに使うことができる。ＷＴＲＵ活動通知は、定期的に送ればよく、その期間は、事前構成することも、ノードＢによって信号通知することもでき、ノードＢによってポーリングされた後に送ってもよい。
【００５４】
Ｎｏ−ＴＸモードによる恩恵の１つは、ノードＢが、所与の時点での送信とは関係のないＷＴＲＵによって使われるリソースのいくつかを解放し、再利用することができることである。その趣旨で、無線リソース割振りの持続に関する異なるオプションが上述された。Ｎｏ−ＴＸ動作モードを出て、データの送信を再度再開し、ノードＢとの無線リンク同期を再開するために、ＷＴＲＵは、Ｎｏ−ＴＸ動作モードに入るときに解放した無線リソースを手に入れる必要がある。これは、ノードＢにチャネル捕捉リクエストを送信することによって実施することができる。チャネル捕捉リクエストの基底にある方法および構造は、上で定義した手順に基づき得る。
【００５５】
チャネル捕捉リクエストが含み得る無線リソースまたは構成パラメータは、Ｆ−ＤＰＣＨリソース、例えばフレームオフセットおよびチャネライゼーションコード、Ｅ−ＡＧＣＨリソース、例えばチャネライゼーションコード、Ｅ−ＨＩＣＨおよび／またはＥ−ＲＧＣＨリソース、例えばチャネライゼーションコードおよびシグネチャ、ならびにＨＳ−ＳＣＣＨリソース、例えばチャネライゼーションコードである。あるいは、リソースは、無線帯域幅が保存され得るように、後で説明する暗黙の規則に基づいて割り振ることができる。
【００５６】
Ｎｏ−ＴＸモードにある間、ＷＴＲＵは、割り振られたＦ−ＤＰＣＨがない場合、サービス側セルに、電力制御コマンドをＷＴＲＵに送信させるためのＨ−ＲＮＴＩ識別子を割り当てられ得る。割り当てられるＨ−ＲＮＴＩは、通常のＣＥＬＬ＿ＦＡＣＨ状態、あるいは通常のＣＥＬＬ＿ＤＣＨ状態で使われるものと同じでよい。一実施形態では、使われるＨ−ＲＮＴＩは、通常モードで使われるものとは異なる。このＨ−ＲＮＴＩは、二次Ｈ−ＲＮＴＩと呼ばれる。二次Ｈ−ＲＮＴＩは、共有することができ、単一ＷＴＲＵまたは多くのＷＴＲＵを識別するのに使うことができる。送信電力制御コマンドは、ネットワークの裁量でいつでも送ることができ、ＨＳ−ＳＣＣＨ用の特殊形式、すなわちタイプ「Ｐ」を使って搬送される。このような形式は、同じ二次Ｈ−ＲＮＴＩを共有する異なるＷＴＲＵに向けられたいくつかのコマンドの多重化を可能にする。この場合、ＷＴＲＵは、そのＴＰＣコマンドを搬送するビットを、規則およびタイムスロットなどの予め信号通知された割振りを用いて、他のＷＴＲＵからのコマンドを搬送するビットからどのようにして多重化解除するかを知っている。ＨＳ−ＳＣＣＨタイプＰは、ＷＴＲＵの送信電力ではなく、またはそれに加えて、ＷＴＲＵの最大データレートを制御するのに使うこともできる。これは、割り振られたＥ−ＲＧＣＨがない場合のレート制御を可能にする。
【００５７】
無線リンク再確立
上述したシナリオにおいて、ＷＴＲＵおよびノードＢは、Ｎｏ−ＴＸモードから動作を再開するとき、無線リンクを確立し直さなければならない。無線リンクは、ダウンリンク上のＦ−ＤＰＣＨの質が許容可能であり送信電力レベルが電力制御によって安定されたとき、確立し直されたとみなすことができる。無線リンク確立を完了するために、Ｆ−ＤＰＣＨ符号およびオフセットは、ＷＴＲＵおよびノードＢによって知られていなければならない。
【００５８】
完全持続もしくはＤＬ  Ｅ−ＤＣＨ制御チャネル解放持続オプションが使われるケースでは、またはネットワークが、ポーリングメッセージもしくはリクエスト返答の一部として明示的もしくは暗黙的にＷＴＲＵにＦ−ＤＰＣＨパラメータを信号通知してある場合、ＷＴＲＵは、どのＦ−ＤＰＣＨチャネライゼーションコードおよびオフセットを使うべきかが分かる。
【００５９】
ポーリングのケースでは、ＷＴＲＵは、その応答メッセージを送信してから所与の期間後、Ｆ−ＤＰＣＨをリッスンし始めることができる。ＷＴＲＵ送信機会のケースでは、ＷＴＲＵは、リクエストを送信してから、またはチャネル割当ても含み得る任意選択のノードＢ返答から所与の期間後、Ｆ−ＤＰＣＨをリッスンし始めることができる。こうした期間は、上位層によって信号通知することも、構成することもできる。
【００６０】
ＷＴＲＵによって開始される送信をネットワークが独占的に利用するケースでは、Ｆ−ＤＰＣＨチャネライゼーションコードおよびオフセットのセットが、起こり得る衝突を回避するために、異なるＷＴＲＵ送信機会をもついくつかのＷＴＲＵの間で共有され得る。このセットは、上位層によって信号通知することも、事前構成することもできる。任意選択で、認められたセット中でどのＦ−ＤＰＣＨチャネライゼーションコードおよびオフセットが使われるかの選択は、任意でもよく、予め定義された規則に従って選んでもよい。
【００６１】
あるいは、Ｆ−ＤＰＣＨチャネライゼーションコードおよびオフセットのセットを共有するＷＴＲＵは、重複する送信機会をもってもよい。ＷＴＲＵは、ランダムに、またはＨ−ＲＮＴＩおよびＥ−ＲＮＴＩ（拡張ＲＮＴＩ）のような情報を用いて、わずかの確率の衝突しかないように、設定された規則に従って無線リソースを選択することができる。無線リンク再確立の失敗がある場合、ＷＴＲＵは、次のＷＴＲＵ送信機会に再度試せばよい。信号通知された、または事前構成された試行失敗回数に達したとき、ＷＴＲＵは、ＣＥＬＬ＿ＦＡＣＨまたは他の予め定義された機構に復帰して、ネットワークと交信する。
【００６２】
無線リンク再確立手順は、最後のＷＴＲＵ送信からの時間遅延にも依存し得る。最後のＷＴＲＵ送信からの遅延が、上位層によって示すことも構成することもできるＴ＿ＬＡＳＴ＿ＵＥ＿ＴＸと呼ばれる所与の期間未満の場合、無線リンクは、「同期中」とみなされるべきであり、ＣＰＣ中で指定された既存の手順が、送信をリスタートするのに使われるべきである。Ｔ＿ＬＡＳＴ＿ＵＥ＿ＴＸは、ＣＰＣ手順を使って無線リンクを回復する確率が大きくなり、その結果電力制御に対する影響が最小限になるように設計されるべきである。一般に、Ｔ＿ＬＡＳＴ＿ＵＥ＿ＴＸの値は、ＣＰＣに対して許された最大ＤＴＸ時間値以下となるように選べばよい。追加プリアンブルスロットも、アップリンクおよびダウンリンク両方において無線リンクを確立し、電力制御ループを初期化するのに要求される新たな電力レベルを推定するのに使うことができる。最後のＷＴＲＵ送信からの遅延がＴ＿ＬＡＳＴ＿ＵＥ＿ＴＸより大きい場合、無線リンクは切れているとみなされるべきであり、既存の無線リンク同期初期化手順が使われるべきである。
【００６３】
Ｎｏ−ＴＸモードでは、測定が非常に長い期間可能でない結果として、既存の無線リンク故障定義が適用されなくてもよく、Ｎｏ−ＴＸモードに入った後、限られた時間だけ適用されてもよい。定義されたリンク故障期間が経過した後、無線リンクは失われたとみなされるべきであり、無線リンク初期化手順が使われるべきである。
【００６４】
暗黙のリソース割振り
上述したように、Ｆ−ＤＰＣＨチャネライゼーションコードおよびオフセットは、無線同期を確立し直すために、ＷＴＲＵによって知られていなければならない。ＤＬ制御チャネル解放持続オプションでは、この情報は、ＷＴＲＵにとって入手可能でない。ＷＴＲＵは、上述した手法の１つを用いる明示的信号通知により、ネットワークからこの情報を与えられ得る。あるいは、リソースは、明示的に割り振ることができる。一実施形態によって、ＷＴＲＵに対する暗黙のＦ−ＤＰＣＨ符号およびオフセット割振りのための機構が記載される。
【００６５】
ＷＴＲＵおよびネットワークは、Ｆ−ＤＰＣＨ符号およびオフセット割振りを決定するのに使うことができる情報を共有する。最初に、Ｆ−ＤＰＣＨチャネライゼーションコードおよびオフセットのセットが、選択用に使用可能としてネットワークおよびＷＴＲＵに知られている。一般に、ネットワークは、チャネライゼーションコードのセットを予約し、この情報をＷＴＲＵに信号通知する。選択可能なチャネライゼーションコードのセットは、任意選択で、特定のオフセットと対にすることができ、あるいは選択可能なチャネライゼーションコードのセットとオフセットのセットは、別々に扱うことができる。次いで、ネットワークおよびＷＴＲＵは、ネットワークおよびＷＴＲＵ両方によって同時に共有されるＷＴＲＵ固有の情報のサブセットに適用されるハッシュ関数に基づいて上で指定された少なくとも１つのセット中で、Ｆ−ＤＰＣＨ符号およびオフセットインデックスを決定する。図３は、共有情報を示すハッシュ関数図を示す。ハッシュ関数に与えられる共有情報は、Ｅ−ＲＮＴＩ３０２、Ｈ−ＲＮＴＩ３０４、ＷＴＲＵスクランブル符号インデックス３０６、およびポーリングのケースではリッスン期間の開始に相対したスロットまたはＴＴＩの数で表されるＷＴＲＵの応答のタイミング３０８または送信機会のケースでは送信機会ウィンドウに関するスロットまたはＴＴＩの数で表されるノードＢの応答のタイミング３０８を含み得る。ハッシュ関数は、Ｆ−ＤＰＣＨ符号３１０およびＦ−ＤＰＣＨ符号オフセットインデックス３１２を出力する。ハッシュ関数は、２つ以上のＷＴＲＵが同じリソースを割り当てられる確率を最小限にするように設計されるべきである。
【００６６】
一時リソース割振り
Ｎｏ−ＴＸモードにあるいくつかのＷＴＲＵは、異なるＷＴＲＵリッスン期間をもつ可能性があり、したがってＦ−ＤＰＣＨ符号および符号オフセットなど、一時符号リソースを共有することができる。一時符号リソースは、Ｎｏ−ＴＸモードの構成中に上位層によって信号通知することができる。どのＷＴＲＵも同一符号およびリッスン期間またはパターンを割り振られないとすると、さらに後で説明するように、衝突は起こらない。無線同期が確立し直されると、ネットワークは、新たな恒久的符号割振りを、可能性としては高速部分リンク再構成メッセージを使って割り当てることができる。あるいは、ＨＳ−ＳＣＣＨ類似順序が、Ｆ−ＤＰＣＨチャネライゼーションコードおよびオフセットが割り振られる前に一時的に電力制御コマンドを送信するのに使われ得る。
【００６７】
高速部分リンク再構成メッセージ
高速部分リンク再構成メッセージが、ＷＴＲＵに与えられ得る。一実施形態によると、長期間送信がなかった後で無線リンクが確立し直されているときに高速部分リンク再構成メッセージが与えられ、ダウンリンク制御リソースの一部または全部が割り振られる必要がある。高速部分リンク再構成メッセージは、リソースが一時的にＷＴＲＵに割り振られており、再度割り振られる必要があるときに使うこともできる。
【００６８】
高速部分リンク再構成メッセージは、Ｆ−ＤＰＣＨチャネライゼーションコード、Ｆ−ＤＰＣＨフレームオフセット、Ｅ−ＨＩＣＨおよびＥ−ＲＧＣＨチャネライゼーションコード、Ｅ−ＨＩＣＨシグネチャ、Ｅ−ＲＧＣＨシグネチャ、ＨＳ−ＳＣＣＨチャネライゼーションコード、ならびにＥ−ＲＮＴＩ、Ｈ−ＲＮＴＩおよびそれ以外などの様々な無線ネットワーク一時識別という構成情報の１つまたは複数を含み得る。部分リンク再構成メッセージが少量のデータ情報を含む場合、レイヤ１（Ｌ１）メッセージ通信が用いられ得る。例えば、新たな割振りを含む、ＨＳ−ＤＰＣＨ上に追加ペイロードを有し得る新しいＨＳ−ＳＣＣＨ順序が使われ得る。あるいは、上に列挙した情報の一部または全部を含む新規ＲＲＣメッセージが使われ得る。
【００６９】
本明細書における技術は、非特許文献２およびそれ以降のネットワークによってサポートすることができる、断続的に送信を行うユーザの数を増やすための機構を指定している。こうした方法および実施形態は、他のワイヤレス通信システムに応用することもできる。開示した技術は、ＷＴＲＵおよびノードＢが、ＤＰＣＣＨ連続送信への依存をなくすことによって無線リンクの効率を上げることを可能にしている。提案した技術の利点は、長い非アクティブ期間中の無線オーバーヘッドの削減、制御チャネルからの干渉を削減することによるシステム容量の増大およびＤＬ上でのより高い符号可用性、ならびに乏しいバッテリリソースをより効率的に使うことによるＷＴＲＵにおけるバッテリ性能の向上を含む。
【００７０】
特徴および要素が、具体的に組み合わされて上に記載されたが、各特徴または要素は、他の特徴および要素なしで個別に、または他の特徴および要素ありでもなしでも、様々に組み合わせて用いることができる。ここで挙げた方法またはフローチャートは、汎用コンピュータまたはプロセッサによる実行用のコンピュータ可読記憶媒体に組み込まれる、コンピュータプログラム、ソフトウェア、またはファームウェア中に実装することができる。コンピュータ可読記憶媒体の例は、ＲＯＭ（読出し専用メモリ）、ランダムアクセスメモリ（ＲＡＭ）、レジスタ、キャッシュメモリ、半導体メモリ素子、内部ハードディスクおよび取外し可能ディスクなどの磁気メディア、光磁気メディア、ならびにＣＤ−ＲＯＭディスク、およびデジタル多用途ディスク（ＤＶＤ）などの光メディアを含む。
【００７１】
適切なプロセッサは、例として、汎用プロセッサ、特殊目的プロセッサ、従来のプロセッサ、ＤＳＰ（デジタル信号プロセッサ）、複数のマイクロプロセッサ、ＤＳＰコアと関連した１つもしくは複数のマイクロプロセッサ、コントローラ、マイクロコントローラ、特定用途向け集積回路（ＡＳＩＣ）、フィールドプログラム可能なゲートアレイ（ＦＰＧＡ）回路、他の任意のタイプの集積回路（ＩＣ）、および／または状態マシンを含む。
【００７２】
ソフトウェアと関連したプロセッサは、ＷＴＲＵ（ワイヤレス送受信ユニット）、ＵＥ（ユーザ機器）、端末、基地局、無線ネットワークコントローラ（ＲＮＣ）、または任意のホストコンピュータ内で使用するための無線周波数トランシーバを実装するのに使うことができる。ＷＴＲＵは、カメラ、ビデオカメラモジュール、テレビ電話、スピーカーフォン、振動装置、スピーカ、マイクロホン、テレビトランシーバ、ハンズフリーヘッドセット、キーボード、ブルートゥース（登録商標）モジュール、周波数変調（ＦＭ）無線ユニット、液晶ディスプレイ（ＬＣＤ）表示ユニット、有機発光ダイオード（ＯＬＥＤ）表示ユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）もしくは超広帯域（ＵＷＢ）モジュールなど、ハードウェアおよび／またはソフトウェア中に実装されるモジュールとともに使うことができる。
【００７３】
実施形態
１．無線リソースオーバーヘッドを削減する、ワイヤレス通信用電力制御のための方法であって、ＴＰＣ（送信電力制御）コマンドは、共有専用チャネルを介して送信される方法。
２．Ｎｏ−ＴＸモードが有効にされたとき、共有専用チャネル上のＴＰＣコマンドを保留するステップをさらに含む実施形態１に記載の方法。
３．データ送信を再開するために、送信機会期間中に少なくとも１つのメッセージを送信するステップをさらに含む実施形態１〜２のいずれかに記載の方法。
４．送信機会期間は、上位層によって信号通知される実施形態３に記載の方法。
５．送信機会期間は、事前構成される実施形態３に記載の方法。
６．送信機会期間は、既知の周期パターンを成す実施形態３に記載の方法。
７．リッスン期間中に、起こり得る送信をリッスンするステップをさらに含む先行実施形態のいずれかに記載の方法。
８．共有専用チャネルは、ＤＰＣＨ（ダウンリンク専用物理チャネル）またはＦ−ＤＰＣＨ（フラクショナルＤＰＣＨ）である、ＷＴＲＵ（ワイヤレス送受信ユニット）のアップリンク電力制御のための先行実施形態のいずれかに記載の方法。
９．送信機会期間は、他のＷＴＲＵの送信機会期間との重複が最小となるようなものである実施形態８に記載の方法。
１０．共有専用チャネルは、アップリンクＤＰＣＣＨ（専用物理制御チャネル）である、ノードＢのダウンリンク電力制御のための先行実施形態のいずれかに記載の方法。
１１．ｎｏ−ＴＸモードが有効にされると、割り振られた全リソースおよび構成を維持するステップをさらに含む先行実施形態のいずれかに記載の方法。
１２．ｎｏ−ＴＸモードが有効にされると、拡張専用チャネルに関する全ダウンリンク制御チャネルを解放するステップをさらに含む、アップリンク電力制御のための実施形態１〜１０のいずれかに記載の方法。
１３．Ｆ−ＤＰＣＨ（フラクショナルＤＰＣＨ）割振りを維持するステップをさらに含む実施形態１２に記載の方法。
１４．ＲＮＴＩ（無線ネットワーク一時識別子）を維持するステップをさらに含む実施形態１２〜１３のいずれかに記載の方法。
１５．アップリンクスクランブル符号を維持するステップをさらに含む実施形態１２〜１４のいずれかに記載の方法。
１６．ｎｏ−ＴＸモードが有効にされると、全ダウンリンク制御チャネルリソースを解放し、ＲＮＴＩ（ネットワーク一時識別子）を維持するステップをさらに含む先行実施形態のいずれかに記載の方法。
１７．アップリンクスクランブル符号を維持するステップをさらに含む実施形態１６に記載の方法。
１８．無線リンクが構成されると、Ｎｏ−ＴＸモードをアクティブにするステップをさらに含む先行実施形態のいずれかに記載の方法。
１９．Ｎｏ−ＴＸモードのアクティブ化を示す信号通知を上位層から受信するステップをさらに含む先行実施形態のいずれかに記載の方法。
２０．上位層から受信された信号通知に基づいて、Ｎｏ−ＴＸモードをアクティブにするステップをさらに含む実施形態１９に記載の方法。
２１．上位層から信号通知を受信するステップは、レイヤ３受信応答を受信するステップを含む実施形態１４に記載の方法。
２２．ＨＳ−ＳＣＣＨ（高速共有制御チャネル）順序を用いて、Ｎｏ−ＴＸモードのアクティブ化を示すレイヤ１受信応答の形の信号通知を受信するステップをさらに含む先行実施形態のいずれかに記載の方法。
２３．受信した信号通知に基づいて、Ｎｏ−ＴＸモードをアクティブにするステップをさらに含む実施形態２２に記載の方法。
２４．所定の非アクティブ期間の後で、Ｎｏ−ＴＸモードをアクティブにするステップをさらに含む先行実施形態のいずれかに記載の方法。
２５．所定の非アクティブ期間に関する値を上位層から受信するステップをさらに含む実施形態２４に記載の方法。
２６．Ｘだけ続く非アクティブ期間の後でＤＴＸ（不連続送信）モードをアクティブにするステップをさらに含み、Ｘが０より大きい先行実施形態のいずれかに記載の方法。
２７．Ｘ＋Ｙだけ続く非アクティブ期間の後でＮｏ−ＴＸモードに遷移するステップをさらに含み、Ｙが０より大きい実施形態２６に記載の方法。
２８．アプリケーション層から受信されたトリガに基づいて、Ｎｏ−ＴＸモードを有効にするためのリクエストをＲＡＮ（無線アクセスネットワーク）に送るステップをさらに含む、ＷＴＲＵ（ワイヤレス送受信ユニット）によって実施される先行実施形態のいずれかに記載の方法。
２９．送られたリクエストは、開始時間および提案される送信機会パターンまたは周期の少なくとも１つを含むＮｏ−ＴＸモードパラメータを含む実施形態２８に記載の方法。
３０．トリガのセットに基づいて、Ｎｏ−ＴＸモードを無効にするステップをさらに含む先行実施形態のいずれかに記載の方法。
３１．無線リンクを確立し直すステップをさらに含む実施形態３０に記載の方法。
３２．共有専用チャネルを介してＴＰＣコマンドの送信を再開するステップをさらに含む実施形態３１に記載の方法。
３３．Ｎｏ−ＴＸモードの無効化は、送信機および受信機両方で知られている所定のタイムアウト期間に基づく実施形態３２に記載の方法。
３４．トリガのセットに基づいてＮｏ−ＴＸモードを無効にするステップは、Ｎｏ−ＴＸモードにある間、予め定義されたＷＴＲＵリッスン期間中にノードＢからポーリングメッセージを受信するステップをさらに含む、ＷＴＲＵ（ワイヤレス送受信ユニット）によって実施される実施形態３０〜３３のいずれかに記載の方法。
３５．ＷＴＲＵが送信バッファ中にデータをもっている場合、ノードＢとの無線リンクを確立し直すための受信応答をノードＢに送信するステップをさらに含む実施形態３４に記載の方法。
３６．ＷＴＲＵが送信するべきデータをもたない場合、ノードＢから受信されたポーリングメッセージを無視するステップをさらに含む実施形態３４〜３５のいずれかに記載の方法。
３７．ＷＴＲＵが送信するべきデータをもたない場合、送信バッファ中にデータがないことを示すメッセージをノードＢに送信するステップをさらに含む実施形態３４〜３５のいずれかに記載の方法。
３８．ポーリングメッセージは、リソース割振り情報をさらに含む実施形態３４〜３７のいずれかに記載の方法。
３９．リソース割振り情報は、Ｅ−ＨＩＣＨ（Ｅ−ＤＣＨ（拡張専用チャネル）ＨＡＲＱ（ハイブリッド自動再送リクエスト）受信応答インジケータチャネル）チャネライゼーションコード、Ｅ−ＨＩＣＨシグネチャ、Ｅ−ＲＧＣＨ（Ｅ−ＤＣＨ相対許可チャネル）シグネチャおよびＥ−ＡＧＣＨ（Ｅ−ＤＣＨ絶対許可チャネル）チャネライゼーションコードの少なくとも１つを含む実施形態３８に記載の方法。
４０．リソース割振り情報は、ＤＰＣＨ（ダウンリンク専用物理チャネル）またはＦ−ＤＰＣＨ（フラクショナルＤＰＣＨ）チャネライゼーションコードおよびオフセットの少なくとも１つをさらに含む実施形態３９に記載の方法。
４１．トリガのセットに基づいてＮｏ−ＴＸモードを無効にするステップは、送信機会期間中に移動局に初期メッセージを送信するステップをさらに含む、ノードＢによって実施される実施形態３０〜３３のいずれかに記載の方法。
４２．移動局から受信応答を受信するステップをさらに含む実施形態４１に記載の方法。
４３．データ転送のために移動局との無線リンクを確立し直す実施形態４０〜４２のいずれかに記載の方法。
４４．初期メッセージは、移動局に関するデータおよびチャネル構成情報の少なくとも１つを含む実施形態４３に記載の方法。
４５．トリガのセットに基づいてＮｏ−ＴＸモードを無効にするステップは、リッスン期間中にノードＢから初期メッセージを受信するステップをさらに含む、ＷＴＲＵ（ワイヤレス送受信ユニット）によって実施される実施形態３０〜３３のいずれかに記載の方法。
４６．ＷＴＲＵに受信応答を送信するステップをさらに含む実施形態４５に記載の方法。
４７．データ転送のためにノードＢとの無線リンクを確立し直すステップをさらに含む実施形態４６に記載の方法。
４８．トリガのセットに基づいてＮｏ−ＴＸモードを無効にするステップは、ＷＴＲＵが送信するべきデータをもっている場合、送信機会期間中にＮｏ−ＴＸモードを無効にするためのリクエストをノードＢに送信するステップをさらに含む、ＷＴＲＵ（ワイヤレス送受信ユニット）によって実施される実施形態３０〜３３のいずれかに記載の方法。
４９．確認メッセージがノードＢから受信された場合は、ノードＢとの無線リンクを確立し直すステップをさらに含む実施形態４８に記載の方法。
５０．確認メッセージがノードＢから受信されない場合は、次の送信機会期間中にリクエストを再送信する実施形態４８〜４９のいずれかに記載の方法。
５１．再送信の試行回数が閾値を超えた後で、ＲＡＣＨ（ランダムアクセスチャネル）上でノードＢにメッセージを送るステップをさらに含む実施形態５０に記載の方法。
５２．トリガのセットに基づいてＮｏ−ＴＸモードを無効にするステップは、リッスン期間中にＮｏ−ＴＸモードを無効にするためのリクエストを移動局から受信するステップをさらに含む、ノードＢによって実施される実施形態３０〜３３に記載の方法。
５３．移動局に確認メッセージを送信するステップをさらに含む実施形態５２に記載の方法。
５４．移動局との無線リンクを確立し直すステップをさらに含む実施形態５２〜５３のいずれかに記載の方法。
５５．送信バースト送信用の電力設定を算出するステップをさらに含み、Ｎｏ−ＴＸモードが有効にされている間に送信するべきデータをもっているＷＴＲＵによって実施される先行実施形態のいずれかに記載の方法。
５６．送信バーストを送信するステップをさらに含む実施形態５５に記載の方法。
５７．送信バーストは、任意選択で添付メッセージを含み得る実施形態５６に記載の方法。
５８．ノードＢが送信バーストを受信したことを確認する、ノードＢからの通知を受信するのを待つステップをさらに含む実施形態５６〜５７のいずれかに記載の方法。
５９．ＷＴＲＵが、予め定義された期間内に通知を受信しない場合、ノードＢからの通知が受信されるまで送信電力をランプアップしながら後続送信バーストを送信するステップをさらに含む実施形態５８に記載の方法。
６０．ノードＢからの通知を受信することなく所定の数の送信バーストが送信された後で、ＷＴＲＵは、上位層に失敗を信号通知する実施形態５９に記載の方法。
６１．送信バーストは、ＤＰＣＣＨ（専用物理制御チャネル）送信およびＮｏ−ＴＸモードでのＷＴＲＵ送信に専用の、予め定義された、または予約されたシーケンスの少なくとも一方を含む実施形態５６〜６０のいずれかに記載の方法。
６２．添付メッセージは、無線リソースリクエスト、ＷＴＲＵが依然としてアクティブであることを示すメッセージ、ＷＴＲＵの所でバッファリングされたトラフィックについての情報、スケジューリング情報（ＳＩ）、ＷＴＲＵによって測られた測定結果、および少量のユーザデータトラフィックの少なくとも１つを含む実施形態５７〜６１のいずれかに記載の方法。
６３．電力設定の算出は、添付メッセージに基づく式、ＣＰＩＣＨ（共通パイロットチャネル）からの電力測定結果、ノードＢから信号通知される情報、ノードＢとＷＴＲＵとの間のパス損失の推定を可能にする、ＣＰＩＣＨにおける送信電力、ダウンリンクチャネルの電力設定、ダウンリンクチャネルのオフセット、およびノードＢによって測定されたノイズ上昇に基づくマージンの少なくとも１つに基づく実施形態５５〜６２のいずれかに記載の方法。
６４．ノードＢからの通知は、添付メッセージをさらに含む実施形態５８〜６３のいずれかに記載の方法。
６５．ノードＢからの通知を有する添付メッセージは、無線リソースを割り振り、チャネライゼーションコード、時間オフセット、制御チャネル用シグネチャ、およびスケジューリング許可の少なくとも１つを含むパラメータを構成する制御メッセージである実施形態６４に記載の方法。
６６．ノードＢからの通知は、捕捉インジケータチャネル（ＡＩＣＨ）、Ｅ−ＨＩＣＨ（Ｅ−ＤＣＨ（拡張専用チャネル）ＨＡＲＱ（ハイブリッド自動再送リクエスト）受信応答インジケータチャネル）、Ｅ−ＡＧＣＨ（Ｅ−ＤＣＨ絶対許可チャネル）、ＨＳ−ＳＣＣＨ（高速共有制御チャネル）、ＤＰＣＨ（専用物理チャネル）もしくはＦ−ＤＰＣＨ（フラクショナルＤＰＣＨ）または通知専用の新規チャネルの少なくとも１つを介して受信される実施形態５８〜６５のいずれかに記載の方法。
６７．送信バーストの送信は定期的に送信され、送信バーストは、ＷＴＲＵ活動通知として作用する実施形態５６〜６６のいずれかに記載の方法。
６８．ノードＢがＮｏ−ＴＸモードに入るときに解放した無線リソースをリクエストするためのチャネル捕捉リクエストをノードＢに送信するステップをさらに含む、ＷＴＲＵ（ワイヤレス送受信ユニット）によって実施される先行実施形態のいずれかに記載の方法。
６９．リクエストされる無線リソースは、フレームオフセットおよびチャネライゼーションコードを含むＦ−ＤＰＣＨ（フラクショナル専用物理チャネル）リソース、チャネライゼーションコードを含むＥ−ＡＧＣＨ（Ｅ−ＤＣＨ（拡張専用物理チャネル）絶対許可チャネル）リソース、チャネライゼーションコードおよびシグネチャを含むＥ−ＨＩＣＨ（Ｅ−ＤＣＨ（拡張専用チャネル）ＨＡＲＱ（ハイブリッド自動再送リクエスト）受信応答インジケータチャネル）および／またはＥ−ＲＧＣＨ（Ｅ−ＤＣＨ相対許可チャネル）リソース、ならびにチャネライゼーションコードを含むＨＳ−ＳＣＣＨ（高速共有制御チャネル）リソースの少なくとも１つを含む実施形態６８に記載の方法。
７０．ＷＴＲＵは、Ｈ−ＲＮＴＩ（ＨＳ−ＤＳＣＨ（高速ダウンリンク共有チャネル）無線ネットワークトランザクション識別子）を割り当てられ、Ｎｏ−Ｔｘが有効にされている間にノードＢからＴＰＣコマンドを受信するステップであって、ＴＰＣコマンドは、ＨＳ−ＳＣＣＨ（高速共有制御チャネル）向けの特殊形式を用いて受信されるステップをさらに含む、ＷＴＲＵ（ワイヤレス送受信ユニット）によって実施される先行実施形態のいずれかに記載の方法。
７１．Ｎｏ−ＴＸモードが無効にされると、無線リンクを確立し直すステップをさらに含む先行実施形態のいずれかに記載の方法。
７２．無線リンクを確立し直すステップは、共有専用チャネルの既知のチャネライゼーションコードおよびオフセットに基づく実施形態７１に記載の方法。
７３．所定の期間の後、共有専用チャネルをリッスンするステップをさらに含む、ＷＴＲＵ（ワイヤレス送受信ユニット）によって実施される実施形態７１に記載の方法。
７４．無線リンクを確立し直すステップは、共有専用チャネルのチャネライゼーションコードおよびオフセットのセットを使用して、無線リンクを確立し直すステップをさらに含む、ＷＴＲＵ（ワイヤレス送受信ユニット）によって実施される実施形態７１に記載の方法。
７５．共有専用チャネルのチャネライゼーションコードのセットは、上位層によって信号通知される実施形態７４に記載の方法。
７６．共有専用チャネルのチャネライゼーションコードのセットは、ランダムにアクセスされる実施形態７４に記載の方法。
７７．共有専用チャネルのチャネライゼーションコードのセットは、共有専用チャネルのチャネライゼーションコードにおける衝突の確率を削減するための情報に基づいて選択される実施形態７４に記載の方法。
７８．無線リンク再確立が失敗した場合、次の送信機会で無線リンクを確立し直すことを試みるステップをさらに含む実施形態７４〜７７のいずれかに記載の方法。
７９．無線リンクを確立し直すステップは、最後の送信からの時間遅延に依存し、時間遅延がＴ＿ＬＡＳＴ＿ＵＥ＿ＴＸ期間未満の場合、無線リンクはデータ送信の準備ができている実施形態７１〜７８に記載の方法。
８０．ＷＴＲＵおよびノードＢによって同時に共有されるＷＴＲＵ（ワイヤレス送受信ユニット）共有情報のサブセットに適用されるハッシュ関数に基づいて、リソース割振りを決定するステップをさらに含む実施形態７１〜７９に記載の方法。
８１．共有情報は、Ｅ−ＲＮＴＩ（拡張無線ネットワーク一時識別子）、Ｈ−ＲＮＴＩ（高速無線ネットワーク一時識別子）、ＷＴＲＵスクランブル符号インデックス、スロットまたはＴＴＩ（送信時間間隔）の数で表されるＷＴＲＵの応答のタイミング、およびスロットまたはＴＴＩの数で表されるノードＢの応答のタイミングの少なくとも１つを含む実施形態８０に記載の方法。
８２．ＷＴＲＵ（ワイヤレス送受信ユニット）によって実施される先行実施形態のいずれかに記載の方法。
８３．移動局によって実施される実施形態１〜８１のいずれかに記載の方法。
８４．ノードＢによって実施される実施形態１〜８１のいずれかに記載の方法。
８５．ユニバーサル移動体遠隔通信システム（ＵＭＴＳ）地上無線アクセスネットワーク（ＵＴＲＡＮ）によって実施される実施形態１〜８１のいずれかに記載の方法。
【図１】
0005289441.tif 000002
【図２】
0005289441.tif 000003
【図３】
0005289441.tif 000004